(57)【要約】      （修正有）【課題】着座者の椅子の座り方に着目し、着座者の身体意識を高め、着座者が、左右の座骨を中心とした臀部の二点を座面に接触させて、骨盤を座面に対して垂直方向に立たせるような状態で、骨盤を安定させ、姿勢よく座ることが可能となる椅子を提供する。【解決手段】着座者に対して少なくとも左右に分かれている着座部３ａ、３bを備え、着座部３ａ、３bの水平座面に対して、着座部３ａ、３bを少なくとも後傾かつ外傾に傾斜可能とする傾斜手段と、着座部３ａ、３bを所望の傾斜位置で固定する固定手段を設けた。【選択図】図１
2007295940.tif 000002
【特許請求の範囲】
【請求項１】
着座者に対して少なくとも左右に分かれている着座部を備え、前記着座部の水平座面に対して、前記着座部を少なくとも後傾かつ外傾に傾斜可能とする傾斜手段と、前記着座部を所望の傾斜位置で固定する固定手段を設けたことを特徴とする椅子。
【請求項２】
着座者が、着座者の膝を前記着座部の外方に向けて開脚可能となるように、膝から大腿部を支える前記着座部の前側部を、大腿部から臀部を支える前記着座部の後側部に対して小さくしたことを特徴とする請求項１記載の椅子。
【請求項３】
前記着座部の傾斜角度が、前記着座部の水平座面に対して前傾５度から後傾５度であり、外傾５度から内傾５度であることを特徴とする請求項１又は２記載の椅子。
【請求項４】
前記椅子に背凭れ部を設け、前記背凭れ部を上下に移動させる上下移動手段を設けたことを特徴とする請求項１乃至３の何れかに記載の椅子。
【発明の詳細な説明】
【技術分野】
【０００１】
本発明は、家庭、学校その他の教育施設、職場等において使用する椅子に関し、特に、着座者の身体意識を高め、左右の座骨を中心とした臀部の二点を座面に接触させて、骨盤を座面に対して垂直方向に立たせるような状態で、自然に着座者の背骨が伸び、姿勢よく座ることが可能となる椅子に関する。
【背景技術】
【０００２】
椅子は、家庭、学校等の教育施設、職場等において、日常的に長時間使用されるものであり、着座者の用途に合せて様々な形状や機能を備えた椅子が提供されている。
例えば、特許文献１には、着座者の臀部や大腿部が座面で圧迫されることによって鬱血等を生じないように、着座者の動きに合せて揺動可能となる一対の可動着座部を設けた椅子が開示されている。また、特許文献２には、左右に設けた肘当で区画された空間内部に、前記肘当の下方から前記空間内方に向けて突出した中割れ座面を設け、前記中割れ座面のそれぞれを前後方向と左右方向に傾斜できるようにした介護用椅子が開示されている。
【特許文献１】特開平１１−１５１１２９号公報
【特許文献２】特表２００１−５１７５１４号公報
【発明の開示】
【発明が解決しようとする課題】
【０００３】
しかしながら、特許文献１に開示されているような椅子は、着座者の快適性を追求したものである。また、特許文献２に開示されているような椅子は、着座者の快適性とともに、介護者の利便性を追求したものである。このように、特許文献１及び２に開示されている椅子は、着座者の骨格、筋肉等を考慮して、着座者の姿勢の向上を目的として設計されたものではなかった。例えば、特許文献２に開示されている介護用椅子にあっては、左右に設けた肘当で区画された空間内部に中割れ座面を設けているため、左右の肘当てで制限されて、着座者が膝を中割れ座面の外方に向けて開脚することができず、着座者が背骨を真っ直ぐにして座りにくい設計となっている。
ところで、生活様式等の違いから、例えば、日本人と欧米人では、骨格や、筋肉等の使い方が異なるため、椅子に着座したときの姿勢が異なる傾向がある。例えば、欧米人は、一般的に、左右の座骨を中心とした臀部の二点を座面に接触させ、骨盤を座面に対して垂直方向に立たせるような状態で、椅子に座る傾向がある。このため、着座者の骨盤が安定した状態となり、着座者は、背骨が真っ直ぐに伸びた状態で、姿勢よく椅子に座ることができる。一方、例えば、日本人は、一般的に、尾てい骨を中心として、臀部を広い面積で座面に接触させるような状態で、椅子に座る傾向がある。このため、着座者の骨盤が不安定な状態となり、着座者は、背骨が丸く曲がった前屈みの状態で、姿勢悪く椅子に座りやすい。
そこで、本発明は、着座者の椅子の座り方に着目し、着座者の身体意識を高め、着座者が、左右の座骨を中心とした臀部の二点を座面に接触させて、骨盤を座面に対して垂直方向に立たせるような状態で、骨盤を安定させ、姿勢よく座ることが可能となる椅子を提供することを目的とする。
【課題を解決するための手段】
【０００４】
本発明者等は、着座者が、着座者の左右の臀部を、左右の着座部のそれぞれに分けて椅子に座ろうとする身体意識を高めることによって、着座者が、左右の座骨を中心とした臀部の二点を座面に接触させて座るようになり、着座者の姿勢がよくなることを知見した。
かかる知見に基づき、本発明の椅子は、請求項１記載の通り、着座者に対して少なくとも左右に分かれている着座部を備え、前記着座部の水平座面に対して、前記着座部を少なくとも後傾かつ外傾に傾斜可能とする傾斜手段と、前記着座部を所望の傾斜位置で固定する固定手段を設けたことを特徴とする。
また、請求項２記載の椅子は、請求項１記載の椅子において、着座者が、着座者の膝を前記着座部の外方に向けて開脚可能となるように、膝から大腿部を支える前記着座部の前側部を、大腿部から臀部を支える前記着座部の後側部に対して小さくしたことを特徴とする。
また、請求項３記載の椅子は、請求項１又は２記載の椅子において、前記着座部の傾斜角度が、前記着座部の水平座面に対して前傾５度から後傾５度であり、外傾５度から内傾５度であることを特徴とする。
また、請求項４記載の椅子は、請求項１乃至３の何れかに記載の椅子において、前記椅子に背凭れ部を設け、前記背凭れ部を上下に移動させる上下移動手段を設けたことを特徴とする。
【発明の効果】
【０００５】
本発明の椅子は、着座者が、着座者に対して少なくとも左右に分かれた着座部を認識することによって、一方の着座部に左の臀部を載せ、他方の着座部に右の臀部を載せて着座しようとする着座者の身体意識が高まる。着座者が、着座者の座骨を左右に分かれた着座部に対応させて、左右の座骨を中心とした臀部の二点を座面に接触させて、骨盤を座面に対して垂直方向に立たたせるような状態で座るようになる。このため、着座者の背骨が自然と伸び、姿勢よく椅子に座ることができる。
また、着座者が左右に分かれた着座部を認識しただけでは、着座者の背骨が伸びるように、姿勢よく椅子に座ることができない場合がある。このため、本発明の椅子には、前記着座部の水平座面に対して、前記着座部を少なくとも後傾かつ外傾に傾斜可能とする傾斜手段と、前記着座部を所望の傾斜位置で固定する固定手段を設けている。前記着座部を後傾かつ外傾に傾斜させ、この傾斜位置で固定した場合、着座者が、一方の着座部と他方の着座部に跨るように、自然に膝を着座部の外方に向けて開脚させて座るようになり、左右の座骨を中心とした臀部の二点を、分かれた着座部のそれぞれの座面に接触させて座るようになる。このため、着座者が、骨盤を座面に対して垂直方向に立たたせるような状態で、骨盤を安定させて座るようになり、自然に背骨を真っ直ぐに伸ばした状態で、姿勢よく椅子に座ることができるようになる。
また、本発明の椅子において、膝から大腿部の部分を支持する前記着座部の前側部を、大腿部から臀部を支持する前記着座部の後側部に対して小さくした場合は、着座者が着座者の膝を前記着座部の外方に向けて開脚しやすくなる。このため、着座者が無理なく楽に、左右の座骨を中心とした臀部の二点を座面に接触させて、座ることができるようになる。
また、本発明の椅子に、背凭れ部を設け、前記背凭れ部を上下に移動させる上下移動手段を設けた場合は、着座者の背骨を、着座者のへその位置に合せて背凭れ部で支えることができ、着座者が、無理なく楽に、背骨を伸ばした姿勢を維持しやすくなる。
【発明を実施するための最良の形態】
【０００６】
本発明の椅子の一実施の形態を図面に基づき説明する。図１は、本発明の椅子１の一実施の形態を示す正面図、図２は、図１の椅子の平面図、図３は、図１の椅子の側面図である。本発明の椅子１は、図１から図３に示すように、着座者に対して左右に二分割された着座部３ａ，３ｂを備えている。
左右に二分割された一対の着座部３ａ，３ｂは、台座５に設置された一対の脚部４ａ，４ｂで支持されている。左右の脚部４ａ，４ｂの間には、支持部４５が設けられている。
前記脚部４ａ，４ｂは、フレーム４１ａ，４１ｂと、フレーム４１ａ，４１ｂに嵌合されて上下に移動可能となる支柱部４２ａ，４２ｂとから構成されている。前記支柱部部４２ａ，４２ｂの先端部にはボールジョイント４３ａ，４３ｂを設けている。また、フレーム４１ａ，４１ｂには、脚用固定部材４４ａ，４４ｂを設けている。脚用固定部材４４ａ，４４ｂを緩めて、支柱部４２ａ，４２ｂを上下に移動させ、所望の位置で支柱部４２ａ，４２ｂを脚用固定部材４４ａ，４４ｂで締め付けて固定させる。尚、椅子の脚部を上下に移動させる手段として、油圧シリンダーやガスシリンダー等を用いてもよい。
【０００７】
着座部３ａ，３ｂの裏面には、傾斜用部材２を設けている。傾斜用部材２は、着座部３ａ，３ｂを支持する二本の棒状部材からなる支持部２２と、この支持部２２の中央部分に設けたボールジョイント４３ａ，４３ｂを嵌合させる受部２１とからなっている。
支柱部４２ａ，４２ｂの先端に設けられたボールジョイント４３ａ，４３ｂを、着座部３ａ，３ｂの裏面に設けられた傾斜用部材２の受部２１に嵌合し、脚部４ａ，４ｂと着座部３ａ，３ｂを接続する。
受部２１には、着座部３ａ，３ｂを所望の傾斜位置で固定させる傾斜用固定部材２３を設けている。例えば、ボールジョイントを締め付けるネジ状の傾斜用固定部材２３を用いて、傾斜用固定部材２３を緩めることにより、受部２１に嵌合させたボールジョイント４３ａ，４３ｂに沿って着座部３ａ，３ｂを傾斜させる。そして、着座部３ａ，３ｂを前側、後側、外側、内側に傾斜させ、所望の傾斜位置で傾斜用固定部材２３を締め付けて、着座部３ａ，３ｂを固定させることができる。尚、傾斜手段としては、板バネ等の他の傾斜手段を用いて、着座部３ａ，３ｂを少なくとも、後傾かつ外傾に傾斜可能となるようしてもよい。
尚、着座部の前側とは、着座者が着座部に座った場合に、着座者の膝から下腿部を支える部分をいい、着座部の後側とは、着座者の下腿部から臀部を支持する部分をいう。また、着座部の内側とは、着座者に対して左右に分けられた着座部の中心部分をいい、着座部の外側とは、椅子の外方部分をいう。
【０００８】
図２の平面図に示すように、着座部３ａ，３ｂは、着座者が、着座者の膝を着座部３ａ，３ｂの外方に向けて開脚しやすように、着座者の膝から大腿部を支える着座部３ａ，３ｂの前側部３１ａ，３１ｂを、着座者の大腿部から臀部を支える着座部３ａ，３ｂの後側部３２ａ，３２ｂに対して小さくしている。尚、本実施の形態において、着座部３ａ，３ｂの前側部３１ａ，３１ｂとは、着座部３ａ，３ｂのボールジョイント４３ａ，４３ｂ位置で左右に仮想の横線を引いた場合に、前記仮想横線よりも前側の部分をいう。また、着座部３ａ，３ｂの後側部３２ａ，３２ｂとは、前記仮想横線よりも後側の部分をいう。そして、前側部３１ａ，３１ｂの面積を、後側部３２ａ，３２ｂの面積よりも小さくなるようにする。
【０００９】
台座５は、４本の台座用脚部５ａ，５ｂ，５ｄ，５ｅを平面Ｘ字状に一点で集結させ、平面Ｘ字状の交差点から１本の台座用脚部５ｃを着座部３ａの後端部よりも後側に突出させるように設けている。着座者に対して後側の台座用脚部５ｂ，５ｃ，５ｄは、着座者に対して前側の台座用脚部５ａ，５ｅよりも、長さが長くなっている。また、着座部３ａ，３ｂを支える脚部４ａ，４ｂは、台座用脚部５ａ，５ｂ，５ｃ，５ｄ，５ｅの交差点よりも後側に左右に開いた台座用脚部５ｂ，５ｄに立設されている。
着座者の体重が、着座部３ａ，３ｂの後側部３２ａ，３２ｂにかけられた場合であっても、後側の台座用脚部５ｂ，５ｃ，５ｄの長さが、前側の台座用脚部５ａ，５ｅよりも長くなるように構成されているため、着座者を安全に支えることができる。台座５を構成する台座用脚部５ａ，５ｂ，５ｃ，５ｄ，５ｅの先端部には、椅子１を移動させやすくするために、それぞれキャスタ５１ａ，５１ｂ，５１ｃ，５１ｄ，５１ｅが設けられている。尚、台座用脚部には、キャスタを設けなくてもよい。
【００１０】
台座５の台座用脚部５ａ，５ｂ，５ｃ，５ｄ，５ｅの交差点からは、上方斜めに突出する背凭れ用脚部６を設け、この背凭れ用脚部６の先端部には、バー状の背凭れ部７を設けている。
前記背凭れ用脚部６は、フレーム６１と、フレーム６１に嵌合されて上下に移動可能となる支柱部６２とから構成されている。また、フレーム６１には、上下移動させた支柱部６２を所望位置で固定する背凭れ用固定部材６３を設けている。尚、油圧シリンダーやガスシリンダー等を背凭れ用脚部６に用いて背凭れ部７を上下に移動可能としてもよい。
【００１１】
着座者は、椅子１の着座部３ａ，３ｂが左右に二分割されていることを認識することによって、一方の着座部に左の臀部を載せ、他方の着座部に右の臀部を載せて着座しようとする身体意識が高まる。このため、着座者は、左右に分かれた着座部に対応させて、左右の座骨を中心とした臀部の二点を、二分割された着座部３ａ，３ｂのそれぞれの座面に接触させて座るようになる。このため、着座者は、骨盤を座面に対して垂直方向に立たたせるような状態で座るようになり、着座者の背骨が自然と伸び、姿勢よく椅子に座ることができる。
尚、本実施の形態においては、着座者が、着座部が左右に分かれていることを、確実に認識できるように、左右に二分割されている着座部３ａ，３ｂを示したが、着座部を左右に分けるには、着座部を他の形態としてもよい。例えば、着座者が、着座部が左右に分かれていることを視覚的に認識できるように、着座部の中央に、前側から後側にわたって一本の線を引くことにより、着座部を着座者に対して左右に分けてもよい。また、例えば、着座者に対して左右の着座部の色を変えることにより、着座部を左右に分けてもよい。更には、着座時に、着座者がそれぞれの着座部３ａ，３ｂを感覚として認識できるように、例えば、左右に分かれた２つの凸面を座面上に形成し、左右に分かれた着座部としてもよい。
【００１２】
図４は、着座部３ａ，３ｂを後傾かつ外傾に傾斜させた状態を示す椅子１の側面図である。また、図５は、着座部３ａ，３ｂを後傾かつ外傾に傾斜させた状態を示す椅子１の正面図である。図５に示すように、着座部３ａ，３ｂを後傾かつ外傾に傾斜させると、正面から見た場合に、着座部３ａ，３ｂは、左右に分けている部分を中心として、この中心部分が凸状の山形形状となっている。
着座者が、椅子１の着座部３ａ，３ｂが二分割されていることを認識するだけでは、着座者の姿勢がよくならない場合は、着座部３ａ，３ｂを、着座部３ａ，３ｂの水平座面に対して、後傾かつ外傾に傾斜させる。着座者は、後傾かつ外傾に傾斜している着座部に座りやすいように、一方の着座部３ａと他方の着座部３ｂに跨って、自然に膝を着座部３ａ，３ｂの外方に向けて両足を左右に開脚して座るようになる（図６参照）。このため、一方の着座部３ａの座面が、着座者の右の座骨を中心とした右臀部に接触し、他方の着座部３ｂの座面が、着座者の左の座骨を中心とした左臀部に接触するようになる。このように、着座者が、左右の座骨を中心とした左右の臀部の二点を着座部３ａ，３ｂの座面に接触させて座るようになる。このため、着座者が、骨盤を座面に対して垂直方向に立たせるような状態で、骨盤を安定させて座るようになり、自然に背骨を真っ直ぐに伸ばした状態で、姿勢よく椅子に座ることができる。
【００１３】
また、着座部３ａ，３ｂの前側部３１ａ，３１ｂを、着座部３ａ，３ｂの後側部３２ａ，３２ｂよりも小さくすると、着座者が、膝を外方に向けて開脚して座りやすくなる。このため、左右の座骨を中心とした左右の臀部の二点を着座部３ａ，３ｂの座面に接触させやすくなり、着座者が骨盤を安定させて、姿勢よく座ることができるようになる。
前記着座部の傾斜角度が、前記着座部の水平座面に対して前傾５度から後傾５度であり、外傾５度から内傾５度とした場合は、着座者の体型に合わせて、着座部３ａ，３ｂの座面を、着座者の座骨中心とした左右の臀部に接触させるように調整できるため、好ましい。
【００１４】
次に、本発明の椅子に着座者が着座した場合の実施例について説明する。
図７（ａ）は、着座部が一つである通常の椅子に着座者が着座した場合に、着座してから１０分後の着座者の姿勢を、三次元計測装置を使用して計測した結果である。また、図７（ｂ）は、本発明の椅子に着座者が着座した場合に、着座してから１０分後の着座者の姿勢を、三次元計測装置を使用して計測した結果である。
図７（ａ）に示すように、着座部が一つである通常の椅子に、着座者が着座した場合は、着座者の背骨が丸く曲がった前屈みの状態で着座していることが確認できた。
これに対し、図７（ｂ）に示すように、着座部が左右に分かれた本発明の椅子に、着座者が着座した場合は、着座者の背骨が真っ直ぐに伸びた、姿勢のよい状態で着座していることが確認できた。
【００１５】
次に、本発明の椅子に着座者が着座した場合の筋肉の状態を、着座者の筋放電の数値を測定することによって確認した。
図８中、Ａ線に示すように、着座部が左右に分かれた本発明の椅子に着座した着座時、１５分後、３０分後の着座者の筋放電の数値を示している。図８中、Ｂ線は、着座部が一つである通常の椅子に着座した着座時、１５分後、３０分後の着座者の筋放電の数値を示している。尚、筋放電の数値が高い程、筋肉が緊張している状態を示す。
図８中、Ａ線に示すように、着座部が左右に分かれた本発明の椅子に、着座者が着座した場合は、着座時から、通常の椅子に着座した場合と比較して、着座者の筋放電の値が低く、着座してから３０分経過した後にも、着座者の筋放電の値が低い状態が持続されている。図８中、Ａ線で示す結果から、本発明の椅子に着座した着座者は、着座部が一つの通常の椅子と比較して、筋肉が緊張しておらず、筋肉に負担をかけることなく、リラックスした状態で着座していることが確認できた。
これに対し、図８中、Ｂ線に示すように、着座部が一つである通常の椅子に、着座者が着座した場合は、着座時から、筋放電の値が高く、筋肉が緊張している状態となっている。
【００１６】
また、本発明の椅子に着座者が座った場合に、着座者の心拍数を測定し、着座者がどのような状態となっているかを確認した。
図９中、Ａ線は、着座部が左右に分かれた本発明の椅子に着座した着座時、１５分後、３０分後の着座者の心拍数の変化を示す心拍変動（ＨＦ／ＬＦ）の数値を示している。図９中、Ｂ線は、着座部が一つである通常の椅子に着座した着座時、１５分後、３０分後の着座者の心拍数の変化を示す心拍変動（ＨＦ／ＬＦ）の数値を示している。尚、心拍変動の数値が高い程、精神的なストレスが少なく、精神的に安定な状態を示す。
図９中、Ａ線に示すように、着座部が左右に分かれた本発明の椅子に、着座者が着座した場合は、着座時から、通常の椅子に着座した場合と比較して、心拍変動の数値が高く、着座者に精神的なストレスかかっていない状態となることが確認できた。更に、本発明の椅子に着座して３０分後には、着座者の心拍変動の数値がかなり高くなり、本発明の椅子に長く着座しているほど、着座者のストレスが少なくなり、着座者が精神的に安定した状態となることが確認できた。
これに対し、図９中、Ｂ線に示すように、着座部が一つである通常の椅子に、着座者が着座した場合は、着座時から、心拍変動の数値が低く、本発明の椅子に着座した場合と比較して、精神的にストレスがかかり、精神的に安定していないことが確認できた。
以上のように、本発明の椅子は、着座者が精神的に安定し、リラックスした状態で着座することができることが確認できた。このため、本発明の椅子は、家庭、学校等の教育施設又は職場で用いる椅子として適している。
【図面の簡単な説明】
【００１７】
【図１】本発明の椅子の正面図
【図２】本発明の椅子の平面図
【図３】本発明の椅子の側面図
【図４】本発明の椅子の着座部を後傾かつ外傾に傾斜させた状態を示す側面図
【図５】本発明の椅子の着座部を後傾かつ外傾に傾斜させた状態を示す正面図
【図６】図４又は図５に示す椅子に着座者が着座した状態を示す説明図
【図７】（ａ）通常の椅子に着座した後１０分後の着座者の姿勢を、三次元計測装置を用いて測定した図、（ｂ）本発明の椅子に着座した後１０分後の着座者の姿勢を、三次元計測装置を用いて測定した図
【図８】本発明の椅子に着座した着座者の筋放電の値と、通常の椅子に着座した着座者の筋放電の値を示す図
【図９】本発明の椅子に着座した着座者の心拍変動の値と、通常の椅子に着座した着座者の心拍変動の値を示す図
【符号の説明】
【００１８】
１    椅子
２    傾斜用部材
３ａ，３ｂ    着座部
４ａ，４ｂ    脚部
５    台座
５ａ，５ｂ，５ｃ，５ｄ，５ｅ    台座用脚部
６    背凭れ用脚部
７    背凭れ部
２１    支持部
２２    受部
２３    傾斜用固定部材
３１ａ，３１ｂ  着座部の前側部
３２ａ，３２ｂ  着座部の後側部
４１ａ，４１ｂ    フレーム
４２ａ，４２ｂ    支柱部
４３ａ，４３ｂ    ボールジョイント
４４ａ，４４ｂ    脚用固定部材
４５    支持部
５１ａ，５１ｂ，５１ｃ，５１ｄ，５１ｅ  キャスタ
６１  フレーム
６２  支柱
６３  背凭れ用固定部材
【図１】
2007295940.tif 000003
【図２】
2007295940.tif 000004
【図３】
2007295940.tif 000005
【図４】
2007295940.tif 000006
【図５】
2007295940.tif 000007
【図７】
2007295940.tif 000008
【図６】
2007295940.tif 000009
【図８】
2007295940.tif 000010
【図９】
2007295940.tif 000011
【手続補正書】
【提出日】平成17年5月2日(2005.5.2)
【手続補正１】
【補正対象書類名】特許請求の範囲
【補正対象項目名】全文
【補正方法】変更
【補正の内容】
【特許請求の範囲】
【請求項１】
着座者に対して少なくとも左右に分かれている着座部を備え、前記着座部の水平座面に対して、前記着座部を左右に分けている部分を中心として、正面から見てこの中心部分が凸状の山形形状となるように外傾に傾斜させる傾斜手段と、前記着座部を所望の傾斜位置で固定する固定手段を設けたことを特徴とする椅子。
【請求項２】
着座者が、着座者の膝を前記着座部の外方に向けて開脚可能となるように、膝から大腿部を支える前記着座部の前側部を、大腿部から臀部を支える前記着座部の後側部に対して小さくしたことを特徴とする請求項１記載の椅子。
【請求項３】
前記着座部の傾斜角度が、前記着座部の水平座面に対して前傾５度から後傾５度であり、外傾５度から内傾５度であることを特徴とする請求項１又は２記載の椅子。
【請求項４】
前記椅子に背凭れ部を設け、前記背凭れ部を上下に移動させる上下移動手段を設けたことを特徴とする請求項１乃至３の何れかに記載の椅子。
【手続補正２】
【補正対象書類名】明細書
【補正対象項目名】０００４
【補正方法】変更
【補正の内容】
【０００４】
本発明者等は、着座者が、着座者の左右の臀部を、左右の着座部のそれぞれに分けて椅子に座ろうとする身体意識を高めることによって、着座者が、左右の座骨を中心とした臀部の二点を座面に接触させて座るようになり、着座者の姿勢がよくなることを知見した。
かかる知見に基づき、本発明の椅子は、請求項１記載の通り、着座者に対して少なくとも左右に分かれている着座部を備え、前記着座部の水平座面に対して、前記着座部を左右に分けている部分を中心として、正面から見てこの中心部分が凸状の山形形状となるように外傾に傾斜させる傾斜手段と、前記着座部を所望の傾斜位置で固定する固定手段を設けたことを特徴とする。
また、請求項２記載の椅子は、請求項１記載の椅子において、着座者が、着座者の膝を前記着座部の外方に向けて開脚可能となるように、膝から大腿部を支える前記着座部の前側部を、大腿部から臀部を支える前記着座部の後側部に対して小さくしたことを特徴とする。
また、請求項３記載の椅子は、請求項１又は２記載の椅子において、前記着座部の傾斜角度が、前記着座部の水平座面に対して前傾５度から後傾５度であり、外傾５度から内傾５度であることを特徴とする。
また、請求項４記載の椅子は、請求項１乃至３の何れかに記載の椅子において、前記椅子に背凭れ部を設け、前記背凭れ部を上下に移動させる上下移動手段を設けたことを特徴とする。
【手続補正３】
【補正対象書類名】明細書
【補正対象項目名】０００５
【補正方法】変更
【補正の内容】
【０００５】
本発明の椅子は、着座者が、着座者に対して少なくとも左右に分かれた着座部を認識することによって、一方の着座部に左の臀部を載せ、他方の着座部に右の臀部を載せて着座しようとする着座者の身体意識が高まる。着座者が、着座者の座骨を左右に分かれた着座部に対応させて、左右の座骨を中心とした臀部の二点を座面に接触させて、骨盤を座面に対して垂直方向に立たたせるような状態で座るようになる。このため、着座者の背骨が自然と伸び、姿勢よく椅子に座ることができる。
また、着座者が左右に分かれた着座部を認識しただけでは、着座者の背骨が伸びるように、姿勢よく椅子に座ることができない場合がある。このため、本発明の椅子には、前記着座部の水平座面に対して、前記着座部を少なくとも後傾かつ外傾に傾斜可能とする傾斜手段と、前記着座部を所望の傾斜位置で固定する固定手段を設けている。前記着座部を左右に分けている部分を中心として、正面から見てこの中心部分が凸状の山形形状となるように外傾に傾斜させ、この傾斜位置で固定した場合、着座者が、一方の着座部と他方の着座部に跨るように、自然に膝を着座部の外方に向けて開脚させて座るようになり、左右の座骨を中心とした臀部の二点を、分かれた着座部のそれぞれの座面に接触させて座るようになる。このため、着座者が、骨盤を座面に対して垂直方向に立たたせるような状態で、骨盤を安定させて座るようになり、自然に背骨を真っ直ぐに伸ばした状態で、姿勢よく椅子に座ることができるようになる。
また、本発明の椅子において、膝から大腿部の部分を支持する前記着座部の前側部を、大腿部から臀部を支持する前記着座部の後側部に対して小さくした場合は、着座者が着座者の膝を前記着座部の外方に向けて開脚しやすくなる。このため、着座者が無理なく楽に、左右の座骨を中心とした臀部の二点を座面に接触させて、座ることができるようになる。
また、本発明の椅子に、背凭れ部を設け、前記背凭れ部を上下に移動させる上下移動手段を設けた場合は、着座者の背骨を、着座者のへその位置に合せて背凭れ部で支えることができ、着座者が、無理なく楽に、背骨を伸ばした姿勢を維持しやすくなる。
【手続補正書】
【提出日】平成17年7月13日(2005.7.13)
【手続補正１】
【補正対象書類名】特許請求の範囲
【補正対象項目名】全文
【補正方法】変更
【補正の内容】
【特許請求の範囲】
【請求項１】
着座者に対して少なくとも左右に分かれている着座部を備え、前記着座部の水平座面に対して、前記着座部を左右に分けている部分を中心として、正面から見てこの中心部分が凸状の山形形状となるように外傾に傾斜させる傾斜手段と、前記着座部を所望の傾斜位置で固定する固定手段を設け、前記着座者の膝を前記着座部の外方に向けて開脚可能となるように、膝から大腿部を支える前記着座部の前側部を、大腿部から臀部を支える前記着座部の後側部に対して小さくしたことを特徴とする椅子。
【請求項２】
前記着座部の傾斜角度が、前記着座部の水平座面に対して前傾５度から後傾５度であり、外傾５度から内傾５度であることを特徴とする請求項１に記載の椅子。
【請求項３】
前記椅子に背凭れ部を設け、前記背凭れ部を上下に移動させる上下移動手段を設けたことを特徴とする請求項１又は請求項２に記載の椅子。
【手続補正２】
【補正対象書類名】明細書
【補正対象項目名】０００４
【補正方法】変更
【補正の内容】
【０００４】
本発明者等は、着座者が、着座者の左右の臀部を、左右の着座部のそれぞれに分けて椅子に座ろうとする身体意識を高めることによって、着座者が、左右の座骨を中心とした臀部の二点を座面に接触させて座るようになり、着座者の姿勢がよくなることを知見した。
かかる知見に基づき、本発明の椅子は、請求項１記載の通り、着座者に対して少なくとも左右に分かれている着座部を備え、前記着座部の水平座面に対して、前記着座部を左右に分けている部分を中心として、正面から見てこの中心部分が凸状の山形形状となるように外傾に傾斜させる傾斜手段と、前記着座部を所望の傾斜位置で固定する固定手段を設け、前記着座者の膝を前記着座部の外方に向けて開脚可能となるように、膝から大腿部を支える前記着座部の前側部を、大腿部から臀部を支える前記着座部の後側部に対して小さくしたことを特徴とする。
また、請求項２記載の椅子は、請求項１に記載の椅子において、前記着座部の傾斜角度が、前記着座部の水平座面に対して前傾５度から後傾５度であり、外傾５度から内傾５度であることを特徴とする。
また、請求項３記載の椅子は、請求項１又は請求項２に記載の椅子において、前記椅子に背凭れ部を設け、前記背凭れ部を上下に移動させる上下移動手段を設けたことを特徴とする。